(57)【特許請求の範囲】
【請求項１】
Ａ液とＢ液と希釈水とを混合して作成される透析液の電気伝導度を測定し、該電気伝導度を予め定めた基準値と比較して濃度を監視する透析液の濃度監視装置の作動方法において、
上記濃度監視装置は、Ａ液のみの濃度変化に対する透析液の電気伝導度の変化の割合と、Ｂ液のみの濃度変化に対する透析液の電気伝導度の変化の割合とを求め、
作成される透析液のＡ液濃度およびＢ液濃度に対応させて、上記Ａ液およびＢ液の濃度変化に対する透析液の電気伝導度の変化の割合に基づき、作成される透析液の電気伝導度を求め、
該電気伝導度から上記基準値を設定することを特徴とする透析液の濃度監視装置の作動方法。
【請求項２】
上記濃度監視装置は、所定のＡ液濃度およびＢ液濃度からなる透析液の基礎電気伝導度を設定し、
上記基礎電気伝導度を上記Ａ液およびＢ液の濃度変化に対する透析液の電気伝導度の変化の割合に基づいて補正することで、
作成される透析液の電気伝導度を求めることを特徴とする請求項１に記載の透析液の濃度監視装置の作動方法。
【請求項３】
設定された混合比に応じてＡ液とＢ液と希釈水とを混合して透析液を作成する透析装置に備えられ、
透析液の電気伝導度を測定する伝導度測定手段を備えて、測定された電気伝導度を予め定めた基準値と比較して濃度を監視する透析液の濃度監視装置において、
上記透析液のＡ液とＢ液と希釈水との混合量を調節する濃度調節手段と、上記基準値の設定を変更する設定変更手段とを備え、
上記濃度調節手段によって透析液のＡ液のみ濃度を変化させるとともにＢ液のみ濃度を変化させて、上記伝導度測定手段によってこれら複数通りの透析液の電気伝導度を測定し、
上記設定変更手段は、上記Ａ液のみの濃度変化に対する透析液の電気伝導度の変化の割合と、上記Ｂ液のみの濃度変化に対する透析液の電気伝導度の変化の割合とを求め、
上記透析装置においてＡ液とＢ液と希釈水の混合比が異なる透析液を新たに作成する際には、上記設定変更手段は新たに作成される透析液のＡ液濃度およびＢ液濃度に対応させて、上記求めたＡ液およびＢ液の濃度変化に対する透析液の電気伝導度の変化の割合に基づき、新たに作成される透析液の電気伝導度を求め、該電気伝導度から上記基準値を設定することを特徴とする透析液の濃度監視装置。
【発明の詳細な説明】
【技術分野】
【０００１】
本発明は透析液の濃度監視装置およびその作動方法に関し、詳しくは透析液の電気伝導度を測定し、該電気伝導度を予め定めた基準値と比較しながら上記透析液の濃度を監視する透析液の濃度監視装置およびその作動方法に関する。
【背景技術】
【０００２】
従来、個人用透析装置においては、Ａ液とＢ液と希釈水とを混合して透析液を作成し、作成した透析液を透析器へ供給するようになっており、また透析液の濃度を常に監視して、所定濃度から外れると供給を停止して警報を出力させるようになっている。
このような透析液の濃度監視方法として、透析液の濃度を電気伝導度によって測定するものが知られ、この方法では、透析装置に電気伝導度の測定手段を設けるとともに、予め作成する透析液についての電気伝導度の基準値を設定して、上記測定手段による測定値を上記基準値と比較することで、透析液が所定の濃度であるか否かを監視するようになっている（特許文献１）。
この特許文献１では、Ａ液、Ｂ液に含まれる各成分の濃度を入力して、これらの成分濃度と混合比とから、作成しようとする透析液の電気伝導度の基準値を算出している。
なお、上記Ａ液は、主に電解質とブトウ糖からなるＡ剤を水に溶解したものであり、Ｂ液は炭酸水素ナトリウムを主成分としたＢ剤を水に溶解したものである。また希釈水としては逆浸透膜を通して浄化したＲＯ水を使用する。
【先行技術文献】
【特許文献】
【０００３】
【特許文献１】特許３３１９７５６号公報
【発明の概要】
【発明が解決しようとする課題】
【０００４】
ここで、上記電気伝導度の基準値は、作成する透析液の濃度を変更する際に同時に変更しなければならず、従来は透析装置の操作者が透析液の濃度と電気伝導度との対応表を参照する等して基準値の再設定を行っていた。
しかしながら透析液の電気伝導度は、透析液として濃度が等しい場合であってもＡ液とＢ液の混合比が異なると相違し、予め様々な濃度パターンを想定して、かつそれぞれの電気伝導度を測定しておくには多大な労力が必要であり、またこのような基準値の再設定は透析治療中に行うことができなかった。
また上記特許文献１においては、混合比を変更することで新たな基準値を算出することが可能であるが、基準値を算出するための基礎となる各成分濃度は、実測値ではなく名目上のものであるため、算出した基準値が作成された透析液の電気伝導度の実測値と相異することがあった。
このような問題に鑑み、本発明は作成する透析液の濃度に応じた電気伝導度の基準値の設定が容易であり、透析治療中の濃度変更にも対応可能な透析液の濃度監視装置およびその作動方法を提供するものである。
【課題を解決するための手段】
【０００５】
すなわち、請求項１の発明にかかる透析液の濃度監視装置の作動方法は、Ａ液とＢ液と希釈水とを混合して作成される透析液の電気伝導度を測定し、該電気伝導度を予め定めた基準値と比較して濃度を監視する透析液の濃度監視装置の作動方法において、
上記濃度監視装置は、Ａ液のみの濃度変化に対する透析液の電気伝導度の変化の割合と、Ｂ液のみの濃度変化に対する透析液の電気伝導度の変化の割合とを求め、
作成される透析液のＡ液濃度およびＢ液濃度に対応させて、上記Ａ液およびＢ液の濃度変化に対する透析液の電気伝導度の変化の割合に基づき、作成される透析液の電気伝導度を求め、
該電気伝導度から上記基準値を設定することを特徴としている。
【０００６】
また請求項３の発明にかかる透析液の濃度監視装置は、設定された混合比に応じてＡ液とＢ液と希釈水とを混合して透析液を作成する透析装置に備えられ、
透析液の電気伝導度を測定する伝導度測定手段を備えて、測定された電気伝導度を予め定めた基準値と比較して濃度を監視する透析液の濃度監視装置において、
上記透析液のＡ液とＢ液と希釈水との混合量を調節する濃度調節手段と、上記基準値の設定を変更する設定変更手段とを備え、
上記濃度調節手段によって透析液のＡ液のみ濃度を変化させるとともにＢ液のみ濃度を変化させて、上記伝導度測定手段によってこれら複数通りの透析液の電気伝導度を測定し、
上記設定変更手段は、上記Ａ液のみの濃度変化に対する透析液の電気伝導度の変化の割合と、上記Ｂ液のみの濃度変化に対する透析液の電気伝導度の変化の割合とを求め、
上記透析装置においてＡ液とＢ液と希釈水の混合比が異なる透析液を新たに作成する際には、上記設定変更手段は新たに作成される透析液のＡ液濃度およびＢ液濃度に対応させて、上記求めたＡ液およびＢ液の濃度変化に対する透析液の電気伝導度の変化の割合に基づき、新たに作成される透析液の電気伝導度を求め、該電気伝導度から上記基準値を設定することを特徴としている。
【発明の効果】
【０００７】
上記請求項１および請求項３の発明によれば、Ａ液のみの濃度変化に対する透析液の電気伝導度の変化の割合と、Ｂ液のみの濃度変化に対する透析液の電気伝導度の変化の割合とを求めることにより、作成される透析液の電気伝導度を求めることができる。
これにより、透析液の濃度監視において、作成する透析液の濃度に応じた電気伝導度の基準値を容易に設定することができ、また透析治療中の濃度変更に対応することができる。
【図面の簡単な説明】
【０００８】
【図１】本実施例にかかる透析装置の斜視図。
【図２】本実施例にかかる透析装置の液回路図。
【図３】異なるＡ液濃度およびＢ液濃度毎の電気伝導度の実測値を示す表。
【図４】Ａ液およびＢ液の濃度変化に対する電気伝導度の変化の割合を示すグラフ。
【発明を実施するための形態】
【０００９】
以下図示実施例について説明すると、図１は透析装置１の全体図を、図２は該透析装置１の内部に設けた液回路を示し、この透析装置１は１人の患者を対象に透析液を作成し透析治療を行う個人用透析装置である。
上記透析装置１は、本体部１ａに保持された透析器２と、該透析器２に接続された血液回路３と、本体部１ａの内部に設けた透析液回路４および、濃度監視装置を構成する制御手段１ｂを備えている。
上記制御手段１ｂには、所要の操作が可能なタッチパネル式の入力部１ｃが設けられており、透析治療時に使用する透析液の濃度設定は、操作者がこの入力部１ｃを操作して行うようになっている。
上記透析器２の内部には図示しない中空糸が設けられており、この中空糸の内部は上記血液回路３と連通して血液が流通し、中空糸の外部は上記透析液回路４と連通して透析液が血液とは逆方向に流通する。
図２に示す透析液回路４には、希釈水としてＲＯ水のような浄水を供給する図示しない給水手段と、透析液の原液であるＡ液を供給するＡ液容器５と、透析液の原液であるＢ液を供給するＢ液容器６と、使用済みの透析液が排出される図示しない排液管とが接続されている。
そして上記透析装置１では、上記透析液回路４において上記給水手段が供給する浄水と、Ａ液容器５より供給されるＡ液と、Ｂ液容器６より供給されるＢ液とを混合して透析液を作成し、該透析液を上記透析器２に供給することで透析治療を行うようになっている。
【００１０】
上記透析液回路４は、２つの第１、第２チャンバ１１，１２と、上記第１、第２チャンバ１１，１２に接続されて上記給水手段からの浄水が流通する給水通路１３と、上記給水通路１３に接続されて上記Ａ液容器５のＡ液が流通するＡ液供給通路１４と、上記給水通路１３に接続されて上記Ｂ液容器６のＢ液が流通するＢ液供給通路１５と、第１、第２チャンバ１１，１２と透析器２との間に設けられて未使用の透析液が流通する未使用透析液通路１６と、第１、第２チャンバ１１，１２と透析器２との間に設けられて使用済みの透析液が流通する使用済透析液通路１７と、第１、第２チャンバ１１，１２から上記排液管へと使用済透析液を排出する排液通路１８とを備えている。
上記第１、第２チャンバ１１，１２は同形であって、内部がダイアフラム１１ａ，１２ａによって２室に区画されるとともに、一方の図示右方の空間には上記給水通路１３および未使用透析液通路１６が接続され、また他方の図示左方の空間には上記使用済透析液通路１７および排液通路１８が接続されている。
【００１１】
上記給水通路１３には上記制御手段１ｂの制御により浄水の供給量を調節する浄水ポンプＰ１が設けられ、また給水通路１３の下流部分は２方向に分岐してそれぞれ上記第１、第２チャンバ１１，１２に接続されるとともに、該分岐部分にはそれぞれ電磁弁Ｖ１，Ｖ２が設けられている。
上記Ａ液供給通路１４は、上記給水通路１３における上記分岐部分の上流側に接続されるとともにＡ液ポンプＰ２を備え、このＡ液ポンプＰ２は上記制御手段１ｂの制御によりＡ液の供給量を調節することが可能となっている。
上記Ｂ液供給通路１５は、上記給水通路１３におけるＡ液供給通路１４の接続位置よりも上流側に接続されるとともにＢ液ポンプＰ３を備え、このＢ液ポンプＰ３は上記制御手段１ｂの制御によりＢ液の供給量を調節することが可能となっている。
そしてこれら浄水ポンプＰ１、Ａ液ポンプＰ２およびＢ液ポンプＰ３により、濃度監視装置に備えられてＡ液とＢ液と希釈水との混合量を調節する濃度調節手段が構成されている。
【００１２】
上記未使用透析液通路１６は、その上流部分が２方向に分岐してそれぞれ上記第１、第２チャンバ１１，１２に接続され、この分岐部分にはそれぞれ電磁弁Ｖ３，Ｖ４が設けられている。
また、未使用透析液通路１６には第１、第２チャンバ１１，１２で作成した透析液の電気伝導度を測定する伝導度測定手段としての導電度センサＳと、またその下流側に未使用透析液通路１６を閉鎖する電磁弁Ｖ５とを備えている。
上記使用済透析液通路１７は、その下流部分が２方向に分岐してそれぞれ上記第１、第２チャンバ１１，１２に接続され、この分岐部分にはそれぞれ電磁弁Ｖ６，Ｖ７が設けられている。
また、使用済透析液通路１７には透析器２内の透析液を送液する透析液ポンプＰ４が設けられ、この透析液ポンプＰ４は上記制御手段１ｂの制御により上記透析器２を流通する透析液の流量を調節するようになっている。
さらに、未使用透析液通路１６における上記導電度センサＳと電磁弁Ｖ５の間と、使用済透析液通路１７における透析液ポンプＰ４の上流側との間には、不良透析液排出通路１９が配設されており、この不良透析液排出通路１９には電磁弁Ｖ８が設けられている。
上記排液通路１８は、その上流部分が２方向に分岐してそれぞれ上記第１、第２チャンバ１１，１２に接続され、この分岐部分にはそれぞれ電磁弁Ｖ９，Ｖ１０が設けられている。
そして、使用済透析通路１７と排液通路１８との間には除水通路２０が配設されるとともに、該除水通路２０には除水ポンプＰ５が設けられており、透析治療中に上記除水ポンプＰ５を作動させることにより、除水相当量を排液通路１８に直接排液するようになっている。
【００１３】
上記構成を有する透析装置１においては、上記給水通路１３における第１チャンバ１１側の電磁弁Ｖ１が開放され、第２チャンバ１２側の電磁弁Ｖ２が閉鎖され、また、上記未使用透析液通路１６における第１チャンバ１１側の電磁弁Ｖ３が閉鎖され、第２チャンバ１２側の電磁弁Ｖ４が開放された状態では、上記使用済透析液通路１７における第１チャンバ１１側の電磁弁Ｖ６が閉鎖され、第２チャンバ１２側の電磁弁Ｖ７が開放され、そして、上記排液通路１８における第１チャンバ１１側の電磁弁Ｖ９が開放され、第２チャンバ１２側の電磁弁Ｖ１０が閉鎖されるようになっている。
この状態では、上記浄水ポンプＰ１が給水手段から供給された浄水を所定供給量で送液し、これと同時に上記Ａ液ポンプＰ２がＡ液容器５からＡ液を所定供給量で送液し、上記Ｂ液ポンプＰ３がＢ液容器６からＢ液を所定供給量で送液する。
これにより、上記第１チャンバ１１の一方の空間には所定の割合で浄水とＡ液とＢ液とが流入し、これらが混合されて予め設定された濃度の未使用透析液が作成される。
これと同時に、第１チャンバ１１の他方の空間には既に使用済透析液が貯溜されており、上記第１チャンバ１１の一方の空間への浄水とＡ液とＢ液との流入に伴なって、ダイアフラム１１ａを介して使用済透析液が排液通路１８に押し出され、上記排液管に排出される。
一方、上記透析液ポンプＰ４は使用済透析液通路１７の使用済透析液を所定の流量で送液し、これにより第２チャンバ１２の一方の空間で作成された未使用透析液が未使用透析液通路１６を介して透析器２に供給される。これと同時に、第２チャンバ１２の他方の空間に透析器２から使用済透析液が流入する。
そして、所定時間が経過する毎に、各電磁弁Ｖ１、Ｖ２、Ｖ３、Ｖ４、Ｖ６、Ｖ７、Ｖ９、Ｖ１０の開閉状態を切換えることにより、第１チャンバ１１と第２チャンバ１２とで交互に透析液を作成し、また、透析液の供給を行うようになっている。
【００１４】
未使用透析液通路１６に流出された未使用透析液は、該未使用透析液通路１６に設けた導電度測定手段としての導電度センサＳによって電気伝導度が測定され、濃度監視装置として制御手段１ｂはこの測定した電気伝導度を予め設定した基準値と比較し、未使用透析液の濃度が適正か否かを判定する。
未使用透析液の電気伝導度が上記基準値に対して例えば５％の誤差範囲に含まれる場合、制御手段１ｂはこの未使用透析液の濃度が適正であると判定する。
一方、±５％を超える誤差が検出された場合には、制御手段１ｂはこの未使用透析液の濃度が異常であると判定して警報指令を出力し、上記入力部１ｃに警報表示を行い、また上記電磁弁Ｖ５を閉鎖するとともに上記電磁弁Ｖ８を開放し、未使用透析液を不良透析液排出通路１９および上記使用済透析液通路１７へと排出するようになっている。
【００１５】
このように、上記透析装置１では上記第１チャンバ１１および第２チャンバ１２に浄水、Ａ液、Ｂ液を供給して透析液を作成しながら該透析液を透析器２に供給することで透析治療を行い、その間、作成される透析液の濃度をその電気伝導度を測定することによって監視するようになっている。
そして、これら透析液の電気伝導度を測定する上記導電度センサＳと、上記基準値と測定された電気導電度とを比較する制御手段１ｂとによって透析液の濃度監視装置を構成している。
【００１６】
次に、本実施例の透析装置１は、作成する透析液の濃度を、個々の患者に応じて設定することが可能となっており、操作者が透析装置１の入力部１ｃにＡ液濃度およびＢ液濃度が異なる複数の濃度パターンと、濃度を変更するタイミングとを入力することで、透析治療中に透析液の濃度を変更することが可能となっている。
この場合においても、上記濃度監視装置は濃度を監視するための基準値を自動的に変更して、変更された透析液の濃度を監視するようになっている。
このため、本実施例の濃度監視装置には、上記基準値の設定を変更する設定変更手段が設けられおり、該設定変更手段によって新たに作成する透析液のＡ液とＢ液との濃度に対応させて電気伝導度を求め、ここから新たな基準値を設定するようになっており、制御手段１ｂではこの新たな基準値に基づいて作成される透析液の濃度監視を行うようになっている。
【００１７】
以下、上記濃度監視装置による濃度監視のための基準値の設定方法について説明すると、図３は透析装置１の入力部１ｃに表示される設定画面を示し、この設定作業は透析治療を行う前に予め行うようになっている。
画面に表示した表には、それぞれ左側から順に１〜５のサンプルナンバー、Ａ液濃度（ｍＥｑ／Ｌ）、Ｂ液濃度（ｍＥｑ／Ｌ）、これらＡ液濃度、Ｂ液濃度からなる透析液の電気伝導度（ｍＳ／ｃｍ）が示され、また表の下方には透析治療中に使用する透析液のＡ液濃度およびＢ液濃度を入力するための欄が設けられている。
ここで、サンプルナンバー１の値は基礎濃度および基礎電気伝導度であって、該サンプルナンバー１のＡ液およびＢ液の基礎濃度は操作者が入力部１ｃから入力し、上記基礎電気伝導度としては入力されたＡ液濃度、Ｂ液濃度に基づいて作成された透析液の実測値が表示される。
なお本実施例ではこの基礎濃度として入力するＡ液濃度およびＢ液濃度は治療開始時に用いる透析液の値を入力するようにしているが、予め制御手段１ｂに登録されている値を使用してもよい。
このような基礎濃度としてのＡ液濃度およびＢ液濃度に対して、濃度調節手段はサンプルナンバー２〜４について、それぞれ自動的にＡ液濃度、Ｂ液濃度を設定する。
具体的に説明すると、サンプルナンバー２、３の値は、上記サンプルナンバー１の基礎濃度に対してＢ液濃度のみを所定量ずつ異ならせたものであり、基礎濃度に対してそれぞれ１０ｍＥｑ／Ｌずつサンプルナンバー２はＢ液濃度が低く、サンプルナンバー３はＢ液濃度が高くなっている。
またサンプルナンバー４、５の値は、上記サンプルナンバー１の基礎濃度に対してＡ液濃度だけを所定量ずつ異ならせたものであり、基礎濃度に対してそれぞれ２０ｍＥｑ／Ｌずつサンプルナンバー４はＡ液濃度が高く、サンプルナンバー５はＡ液濃度が低くなっている。
なお、このとき濃度調節手段にて設定する値は、透析治療中に作成する透析液のＡ液濃度およびＢ液濃度が含まれるような範囲であることが望ましい。
【００１８】
このようにして濃度調節手段がサンプルナンバー２〜５のＡ液濃度およびＢ液濃度を設定すると、該濃度調節手段は、治療に先立って、サンプルナンバー１のＡ液濃度およびＢ液濃度に基づいて、浄水ポンプＰ１、Ａ液ポンプＰ２、Ｂ液ポンプＰ３を制御し、上記第１、第２チャンバ１１，１２で透析液を作成する。
この透析液は第１、第２チャンバ１１，１２から排出されて上記未使用透析液通路１６を流通し、上記導電度センサＳによって電気伝導度が測定され、制御手段１ｂはこの透析液の電気伝導度をサンプルナンバー１の基礎電気伝導度として設定変更手段に登録し、画面上の表に表示する。
そして、サンプルナンバー２〜５についても、それぞれのＡ液濃度、Ｂ液濃度に基づいて透析液を作成するとともに、それぞれ作成された複数通りの透析液の電気伝導度を測定し、それぞれ設定変更手段に測定値を登録し、画面上の表に表示する。
【００１９】
次に設定変更手段は、Ａ液濃度が異なりＢ液濃度が等しい図３の表におけるサンプルナンバー１，４，５について、Ａ液濃度の値と測定した電気伝導度の値とから、Ａ液の濃度変化に対する透析液の電気伝導度の変化の割合を求める。
これと同様に、設定変更手段はＡ液の濃度が等しくＢ液の濃度が異なる図３におけるサンプルナンバー１，２，３について、Ｂ液濃度の値と測定した電気伝導度の値から、Ｂ液濃度の変化に対する透析液の電気伝導度の変化の割合を求める。
図４は、Ａ液濃度とＢ液濃度とを合計した透析液濃度を横軸とし、電気伝導度を縦軸としたグラフである。
この図４によれば、Ａ液濃度のみが異なるサンプルナンバー１，４，５の値より得られる直線Ａの傾きが、上記Ａ液の濃度変化に対する透析液の電気伝導度の変化の割合に該当する。
これと同様に、Ｂ液濃度のみが異なるサンプルナンバー１，２，３の値より得られる直線Ｂの傾きが、上記Ｂ液の濃度変化に対する透析液の電気伝導度の変化の割合に該当する。
本発明においては、これら求めた電気伝導度の変化の割合に基づき作成される透析液の電気伝導度を求めて、該電気伝導度から濃度監視のための基準値を設定するようになっている。
具体的には、上記測定した基礎電気伝導度を設定するとともに、この基礎電気伝導度を上記変化の割合に基づいて補正することにより、作成される透析液の電気伝導度を求めるようになっている。上記図４の場合、上記直線Ａの傾きは０．１、直線Ｂの傾きは０．０２５となっている。
【００２０】
次に、上記Ａ液およびＢ液の濃度変化に対する透析液の電気伝導度の変化の割合に基づいて、上記基礎電気伝導度を補正し、作成される透析液の電気伝導度を求める場合の求め方の一例を説明する。
ここでは、図３、４の例を用いて基礎濃度がＡ液１１０ｍＥｑ／Ｌ、Ｂ液３０ｍＥｑ／Ｌで、基礎電気伝導度が１４．００ｍＳ／ｃｍである透析液に対し、新たに作成される透析液のＡ液濃度を１００ｍＥｑ／Ｌ、Ｂ液濃度を２０ｍＥｑ／Ｌとする場合について説明する。
まず、設定変更手段はＡ液について基礎濃度と新たに作成される濃度との差を求める。この場合の濃度の差は−１０ｍＥｑ／Ｌとなる。
続いて、求めた上記Ａ液濃度の差と、Ａ液のみの濃度変化に対する透析液の電気伝導度の変化の割合（直線Ａの傾き）とから、基礎電気伝導度に対して増減される電気伝導度の値を算出する。
すなわち、上記例の場合、Ａ液濃度が−１０ｍＥｑ／Ｌ変化する場合は、電気伝導度は０．１を乗じた量だけ変化するため、上記基礎電気伝導度に対して−１ｍＳ／ｃｍ変化することとなる。
次に、設定変更手段はＢ液について基礎濃度と新たに作成される濃度との差を求める。この場合の濃度の差は−１０ｍＥｑ／Ｌとなる。
続いて、求めた上記Ｂ液濃度の差と、Ｂ液のみの濃度変化に対する透析液の電気伝導度の変化の割合（直線Ｂの傾き）とから、基礎電気伝導度に対して増減される電気伝導度の値を算出する。
すなわち、上記例の場合、Ｂ液濃度が−１０ｍＥｑ／Ｌ変化する場合は、電気伝導度は０．０２５を乗じた量だけ変化するため、上記基礎電気伝導度に対して−０．２５ｍＳ／ｃｍ変化することとなる。
最後に、上記で求めたＡ液およびＢ液の濃度変化に対応する電気伝導度の変化量を用いて基礎電気伝導度を補正し、これにより、上記例においては、基礎電気伝導度１４．００ｍＳ／ｃｍに対して、Ａ液について１．００ｍＳ／ｃｍ、Ｂ液について０．２５ｍＳ／ｃｍを減じた新たな電気伝導度として１２．７５ｍＳ／ｃｍという値が求められる。
そして、上記設定変更手段は、この求められた電気伝導度から新たに作成される透析液の濃度監視のための基準値を設定し、該基準値を濃度監視装置としての上記制御手段１ｂに登録し、制御手段１ｂはこの基準値により透析液の監視を行うようになっている。
【００２１】
以上のように、本実施例では濃度監視装置に所定の基礎濃度を設定すると、まずこの基礎濃度からなる透析液の電気伝導度を測定し、これを基礎電気伝導度として設定するようになっている。
次に、上記基礎濃度としてのＡ液濃度と新たに作成される透析液のＡ液濃度との差を求め、上記Ａ液濃度のみを変化させた透析液の電気伝導度の変化の割合に基づき、基礎電気伝導度から増減される電気伝導度の値を求める。
さらに、基礎濃度としてのＢ液濃度と新たに作成される透析液のＢ液濃度との差を求め、上記Ｂ液濃度のみを変化させた透析液の電気伝導度の変化の割合に基づき、基礎電気伝導度から増減される電気伝導度の値を求める。
そして、上記基礎電気伝導度をＡ液およびＢ液についての電気伝導度の変化量（増減値）により補正し、作成される透析液の電気伝導度を求めるようになっている。
このように、操作者が上記入力部１ｃに作成したい透析液のＡ液濃度およびＢ液濃度を入力することで、制御手段１ｂは該作成したい透析液の電気伝導度を求めて、濃度監視のための基準値を自動的に設定するようになっている。
これにより、透析治療中であっても透析液の濃度を変更することが可能となっている。
また、今回使用するＡ液およびＢ液を用い、複数通りの透析液の電気伝導度を実際に測定してサンプリングした値に基づいて、Ａ液およびＢ液の濃度変化に対する透析液の電気伝導度の変化の割合を求めるため、可及的に正確な透析液の電気伝導度を求めることが可能となっている。
【符号の説明】
【００２２】
１  透析装置                  １ｂ  制御手段
４  透析液回路                ５  Ａ液容器
６  Ｂ液容器                  １３  給水通路
１４  Ａ液供給通路            １５  Ｂ液供給通路
１６  未使用透析液通路        Ｓ  導電度センサ
【図１】
0005423318.tif 000002
【図２】
0005423318.tif 000003
【図３】
0005423318.tif 000004
【図４】
0005423318.tif 000005